(57)【要約】【課題】  本発明は、専用の静電散布機ではない既存の散布機に装着することにより静電散布を行うことができる散布機用荷電装置を提供する。【解決手段】  本発明の散布機用荷電装置は、散布機１の噴霧ノズル３に着脱可能に装着され、噴霧ノズル３から噴霧される噴霧剤６に静電気を帯電させる荷電バンド７と、高電圧を発生させるトランス９と、トランス９によって発生された高電圧を荷電バンド７に供給する高電圧供給部１０を備えたコントローラ１１とを有する。【選択図】  図１
2005349348.tif 000002
【特許請求の範囲】
【請求項１】
散布機の噴霧ノズルに着脱可能に装着され、前記噴霧ノズルから噴霧される噴霧剤に静電気を帯電させる荷電バンドと、
前記高電圧を発生させる高電圧発生手段と、
前記高電圧発生手段によって発生された高電圧を前記荷電バンドに供給する高電圧供給手段と、
を有することを特徴とする散布機用荷電装置。
【請求項２】
前記荷電バンドは、導電性及び可撓性を備えた材料で作られ、噴霧ノズルの周囲を覆うバンド部と、前記噴霧ノズルに当接して、前記噴霧ノズルを支持する支持部と、前記バンド部の内面に取り付けられ、前記支持部を前記バンド部の内側方向に付勢する付勢部材とを有することを特徴とする請求項１に記載の散布機用荷電装置。
【請求項３】
前記荷電バンドのバンド部の外部には、絶縁カバーが設けられていることを特徴とする請求項１又は２に記載の散布機用荷電装置。
【請求項４】
前記荷電バンドの一方の端部に締結具が設けられ、他方の端部に前記締結具を締結するための複数の開口部が前記荷電バンドの長手方向に沿って形成されている、ことを特徴とする請求項１乃至３のいずれか１つの項に記載の散布機用荷電装置。
【発明の詳細な説明】
【技術分野】
【０００１】
本発明は、農薬等の噴霧剤に静電気を帯電させて散布する散布機用荷電装置に関し、特に、専用の静電散布機ではない既存の散布機に装着することにより静電散布を行うことができる散布機用荷電装置に関する。
【背景技術】
【０００２】
一般に、農薬などの噴霧剤を露地やハウス等で散布する場合、各種の散布機が用いられる。散布機のノズルから散布された噴霧剤は、その初速及び散布する方向性に依存するため、作物等の対象物に付着することなく、大気中や土中に放散させてしまう場合があり、噴霧剤の消費量が過大になるばかりでなく散布量が不均等になってしまうことから、作物の葉の裏面や茂みの中に適量の散布剤を付着させることが非常に困難であった。
【０００３】
そこで、噴霧剤に高電圧の静電気を印加することにより作物全体に効率良く噴霧剤を付着させることができる静電式散布装置が販売されており、また、例えば特開２００４−４９９９９号公報等に提案されている。これらの静電式散布装置によれば、噴霧剤の付着の吸引力が、静電気の帯電作用により重力の数十倍にもなり、噴霧剤を作物全体に効率よく付着させることができるので、噴霧剤の使用量を減少できることで作業コストの削減を図ることができるとともに、人体に対する影響を低減することができる。
【０００４】
【特許文献１】特開２００４−４９９９９号公報
【発明の開示】
【発明が解決しようとする課題】
【０００５】
従来の静電式散布装置はいずれも専用の装置であるため、静電式散布を行う場合には、静電式散布装置ではない既存の散布装置の他に、新規に静電式散布装置を購入する必要があり、使用者にとって経済的な負担になるという課題がある。
【０００６】
また、露地用の大型の散布装置とハウス用の小型の散布装置はそれぞれ異なる形態であるため、静電式散布装置もそれぞれの形態で製造しなければならず、製造コストがかかるという課題がある。
【０００７】
本発明は、上記課題を解決するためになされたものであり、専用の静電散布機ではない既存の散布機に装着することにより静電散布を行うことができる散布機用荷電装置を提供することを目的とする。
【課題を解決するための手段】
【０００８】
本発明の散布機用荷電装置は、散布機の噴霧ノズルに着脱可能に装着され、前記噴霧ノズルから噴霧される噴霧剤に静電気を帯電させる荷電バンドと、前記高電圧を発生させる高電圧発生手段と、前記高電圧発生手段によって発生された高電圧を前記荷電バンドに供給する高電圧供給手段とを有することを特徴とするものである。
【０００９】
前記荷電バンドは、導電性及び可撓性を備えた材料で作られ、噴霧ノズルの周囲を覆うバンド部と、前記噴霧ノズルに当接して、前記噴霧ノズルを支持する支持部と、前記バンド部の内面に取り付けられ、前記支持部を前記バンド部の内側方向に付勢する付勢部材とを有してもよい。
【００１０】
前記荷電バンドのバンド部の外部には、絶縁カバーが設けられていてもよい。
【００１１】
前記荷電バンドの一方の端部に締結具が設けられ、他方の端部に前記締結具を締結するための複数の開口部が前記荷電バンドの長手方向に沿って形成されていてもよい。
【発明を実施するための最良の形態】
【００１２】
以下、本発明の実施の形態について図面を参照して説明する。図１（Ａ）は、既存の散布機の構成を示す説明図、（Ｂ）は本発明の実施の形態に係る散布機用荷電装置の構成を示す説明図、図２（Ａ）は荷電バンドを示す正面図、（Ｂ）は荷電バンドを締結する締結ネジ及び開口部を示す側面断面図である。
【００１３】
本発明の実施の形態に係る散布機用荷電装置は、露地栽培、ハウス栽培、植栽高木等すべての散布に適用でき、例えば図１（Ａ）に示すような既存の散布機１に装着される。散布機１は、農薬等の噴霧剤を収納する容器２（タンク）と、噴霧剤を散布する噴霧ノズル３と、容器２内の噴霧剤をコンプレッサ４により噴霧ノズル３に供給する供給管５とを有する。
【００１４】
図１（Ｂ）に示すように、本発明の散布機用荷電装置は、散布機１の噴霧ノズル３に着脱可能に装着され、噴霧ノズル３から噴霧される噴霧剤６に静電気を帯電させる荷電バンド７と、バッテリ等の電源８から供給された電圧を高電圧に昇圧させるトランス９（変圧器）と、トランス９から供給された高電圧を荷電バンド７に供給する高電圧供給部１０を備えたコントローラ１１とを有する。
【００１５】
図１（Ｂ）及び図２（Ａ）に示すように、荷電バンド７は、噴霧ノズル３の周囲を覆うバンド部１２と、噴霧ノズル３に当接して、噴霧ノズル３を支持するように針状に形成された支持部１３と、バンド部１２の内面に取り付けられ、支持部１３をバンド部１２の内側方向に付勢するスプリング１４（付勢部材）とを有する。
【００１６】
バンド部１２は、例えばステンレスのように導電性及び可撓性を備えた材料で作られている。支持部１３は、例えばプラスチック等に作られている。スプリング１４は、バンド部１２の内面に固定された収納部１５内に収納されている。
【００１７】
荷電バンド７のバンド部１２の外部には、絶縁体で作られた絶縁カバー１６が設けられている。
【００１８】
図２（Ｂ）に示すように、荷電バンド７の一方の端部には締結ネジ１７が設けられ、他方の端部に締結ネジ１７を締結（螺着）するために螺刻された複数の開口部１８が荷電バンド７の長手方向に沿って形成されている。締結ネジ１７を締結する開口部１８の位置を変えることにより、荷電バンド７の直径を変えることができるので、いろいろな大きさの噴霧ノズル３に適応して装着することができる。
【００１９】
トランス９は、例えば５万ボルト〜７万ボルトの高電圧を出力する。
【００２０】
コントローラ１１の高電圧供給部１０は、＋の静電荷を高電圧にするための配線（回路）をプリント基板上で作って構成されている。また、コントローラ１１には、高電圧を供給する場合又はしない場合のＯＮ／ＯＦＦの切換を行う切換スイッチ１９が設けられている。
【００２１】
コントローラ１１は、第１の出力端子２０（＋端子）と第２の出力端子２１（−端子）とを有し、第１の出力端子２０は、第１のリード線２２を介して荷電バンド７のバンド部１２に接続され、第２の出力端子２１は、第２のリード線２３を介してアースされている。なお、第１のリード線２２を既存の散布機１のホースにテープ等で固定してもよい。
【００２２】
コントローラ１１は、耐熱性があり、例えばエポキシ樹脂のような熱硬化性樹脂でプリント基板を固めたボックスで構成されており、第三者によって内部構造を容易に知られないようにするためにブラックボックス化されているのが好ましい。
【００２３】
なお、コントローラ１１に高抵抗体を設置したり、渦電流の防止体を設置するのが好ましい。
【００２４】
電源８は、例えば自動車用又はコンプレッサ用に通常用いられるバッテリである。
【００２５】
次に、本発明の実施の形態に係る散布機用荷電装置の動作を説明する。まず、既存の散布機１の噴霧ノズル３に荷電バンド７を装着する。その際、噴霧ノズル３の大きさに合わせて、バンド部１２の適当な位置になる開口部１８に締結ネジ１７を挿入して締結する。
【００２６】
次いで、コントローラ１１の切換スイッチ１９をＯＮにして、コントローラ１１の高電圧供給部１０から荷電バンド７のバンド部１２に高電圧を印加する。これにより、バンド部１２に＋の静電気を帯電させ、噴霧ノズル３の噴霧口付近に−の静電気を帯電させることができる（図１（Ｂ）参照）。
【００２７】
従って、噴霧ノズル３の噴霧口から出た噴霧剤６は、−の静電気を帯びることになるので、噴霧剤６の付着の吸引力が向上し、噴霧剤６を作物全体に効率よく付着させることができる。その結果、噴霧剤６の使用量を減少できることで作業コストの削減を図ることができるとともに、人体に対する影響を低減することができる。
【００２８】
本発明の実施の形態に係る散布機用荷電装置によれば、専用の静電散布機ではない既存の散布機１に装着することにより静電散布を行うことができるので、新規に静電式散布装置を購入する必要はなく、使用者にとって経済的な負担を低減することができる。
【００２９】
また、露地用の大型の散布機やハウス用の小型の散布機など種類を問わずどのような形態の散布機にも適用できる。
【００３０】
さらに、収納部１５内のスプリング１４及びその先端に設けられた支持部１３が伸縮することにより、直径の異なる噴霧ノズルに適応し装着することができる。
【００３１】
本発明は、上記実施の形態に限定されることはなく、特許請求の範囲に記載された技術的事項の範囲内において、種々の変更が可能である。
【００３２】
例えば、コントローラ１１は、荷電バンド７に供給する電圧値を調整する電圧調整部を有してもよい。
【００３３】
また、複数の噴霧ノズル３を備えた散布機の場合には、各噴霧ノズル３に装着するための複数の荷電バンド７を有する。
【図面の簡単な説明】
【００３４】
【図１】（Ａ）は、既存の散布機の構成を示す説明図、（Ｂ）は本発明の実施の形態に係る散布機用荷電装置の構成を示す説明図である。
【００３５】
【図２】（Ａ）は荷電バンドを示す正面図、（Ｂ）は荷電バンドを締結する締結ネジ及び開口部を示す側面断面図である。
【符号の説明】
【００３６】
１：散布機
２：容器
３：噴霧ノズル
４：コンプレッサ
５：供給管
６：噴霧剤
７：荷電バンド
８：電源
９：トランス
１０：高電圧供給部
１１：コントローラ
１２：バンド部
１３：支持部
１４：スプリング
１５：収納部
１６：絶縁カバー
１７：締結ネジ
１８：開口部
１９：切換スイッチ
２０：第１の出力端子
２１：第２の出力端子
２２：第１のリード線
２３：第２のリード線
【図１】
2005349348.tif 000003
【図２】
2005349348.tif 000004